(57)【要約】【課題】可動端子の固定端子に対する接触信頼性が良好なスイッチ付き同軸コネクタ及び該コネクタを備えた通信装置を得る。【解決手段】中心コンタクト３１及び外部導体３３を有するプローブ３０の装着、離脱に基づいて信号経路の切り換えを行うスイッチ付き同軸コネクタ。金属板からなる可動端子２０は、プローブ３０の非装着時において、ばね可動部２０ｅの撓みによって合わせ面部２０ｂが絶縁基板１０の表面に密着すると共に接点部２０ｈが固定端子電極２５に圧接している。プローブ３０の装着時において、可動端子２０は中心コンタクト３１の進入によってプローブ接触部２０ｇが下方に変位すると共に、該変位方向とは逆方向にばね可動部２０ｅがてこ支点部２０ｆを支点として反転して接点部２０ｈが固定端子電極２５との接触を解除する。【選択図】  図６
2004247265.tif 000002
【特許請求の範囲】
【請求項１】
中心コンタクト及び外部導体を有するプローブの装着、離脱に基づいて信号経路の切換えを行うスイッチ付き同軸コネクタにおいて、
絶縁基板と、
前記プローブの外部導体と電気的に接触するプローブ接触面を有し、前記絶縁基板に取り付けられた外部端子と、
前記絶縁基板に設けた固定端子と、
前記絶縁基板に取り付けられ、前記プローブの離脱時には前記固定端子と接触し、プローブの装着時には中心コンタクトによって変位して固定端子から解離する可動端子と、を備え、
前記可動端子は、１枚のばね性金属材からなり、少なくとも、ばね可動部と、前記プローブの装着時に中心コンタクトの先端が接触するプローブ接触部と、前記絶縁基板への取付け部と、絶縁基板の表面への合わせ面部と、てこ支点部と、前記固定端子への接点部とを備え、
プローブの非装着時において、可動端子はばね可動部の撓みによって合わせ面部が絶縁基板の表面に密着すると共に接点部が固定端子に圧接し、
プローブの装着時において、可動端子は中心コンタクトの進入によってプローブ接触部が変位すると共に、該変位方向とは逆方向にばね可動部がてこ支点部を支点として反転して接点部が固定端子との接触を解除すること、
を特徴とするスイッチ付き同軸コネクタ。
【請求項２】
プローブの非装着時において、可動端子のてこ支点部は絶縁基板の表面から浮いた状態であり、
プローブの装着時において、中心コンタクトの進入によるプローブ接触部の変位に基づいててこ支点部が該変位と同方向に変位して絶縁基板の表面に当接し、該当接と共にばね可動部がてこ支点部を支点としてプローブ接触部の変位とは逆方向に反転して接点部が固定端子との接触を解除すること、
を特徴とする請求項１記載のスイッチ付き同軸コネクタ。
【請求項３】
前記可動端子は、ばね可動部が合わせ面部から略Ｕ字形状に湾曲して延在し、該ばね可動部の先端部分においてプローブ接触部が合わせ面部側に延在し、かつ、接点部が合わせ面部と反対側に設けられていることを特徴とする請求項１又は請求項２記載のスイッチ付き同軸コネクタ。
【請求項４】
前記可動端子の合わせ面部とプローブ接触部とてこ支点部と接点部とが一直線上に位置していることを特徴とする請求項１、請求項２又は請求項３記載のスイッチ付き同軸コネクタ。
【請求項５】
前記固定端子は前記絶縁基板の表面に形成された膜状の固定端子電極であることを特徴とする請求項１、請求項２、請求項３又は請求項４記載のスイッチ付き同軸コネクタ。
【請求項６】
請求項１、請求項２、請求項３、請求項４又は請求項５記載のスイッチ付き同軸コネクタを備えたことを特徴とする通信装置。
【発明の詳細な説明】
【０００１】
【発明の属する技術分野】
本発明は、スイッチ付き同軸コネクタ及び通信装置、特に、携帯電話等の移動体通信装置に組み込まれる信号経路の切換えが可能なスイッチ付き同軸コネクタ及び該コネクタを備えた通信装置に関する。
【０００２】
【従来の技術】
【特許文献】
特開平９−２４５９０７号公報
特許第３０６４９０６号
特開平１１−２６５７６１号公報
特開２００１−１７６６１２号公報
【０００３】
従来、携帯電話等の通信装置には、信号経路を切り換える機能を有する表面実装タイプのスイッチ付き同軸コネクタが使用されているものがある。この種のスイッチ付き同軸コネクタとして、本出願人は既に前記公報に開示のものを種々提案した。
【０００４】
この種のスイッチ付き同軸コネクタの基本的な構成は、図１０に示すように、導電性薄板からなる可動端子９２、固定端子９３及び外部端子９４を絶縁ケース９１に取り付けたもので、可動端子９２の先端に位置する接点部９２ａが薄板自身の弾性復元力によって固定端子９３の接点部９３ａに接触して常閉接点を形成している。
【０００５】
そして、特性を測定するためのプローブ８０が装着されると、その中心コンタクト８１が絶縁ケース９１に突入し、可動端子９２を圧接して下方に変位させ（図１０の点線参照）、接点部９２ａが接点部９３ａから解離し、信号経路が固定端子９３から中心コンタクト８１に切り換わる。同時に、プローブ８０の外部導体８２が外部端子９４に接触する。
【０００６】
【発明が解決しようとする課題】
ところで、図１０に示した従来のスイッチ付き同軸コネクタ９０においては、可動端子９２のばね可動部の変位方向が中心コンタクト８１からの荷重方向と同じであるため、ばね可動部のストロークの管理が非常に困難であるという問題点を有している。
【０００７】
その理由は、小型低背化されたコネクタでは、可動端子９２のばね可動部のストロークを十分に確保することが難しく、ばね可動部のストロークを十分に確保しようとすると、ばね可動部の全長が長くなり、これでは接点圧が小さくなってしまう。そこで、必要な接点圧を確保するためにばね可動部の全長をある程度短くすることが必要になる。しかし、短いばね可動部では塑性変形するおそれがあり、接触信頼性が確保できない。塑性変形を防止するには、ストロークの制限を行うことが考えられるが、もともと小さなストロークをさらに制限することになるため、接点間ギャップが狭くなって確実に解離しなくなるおそれがある。
【０００８】
また、従来の前記スイッチ付き同軸コネクタ９０においては、端子９２，９３，９４を金属板からプレス加工や切削加工にて形成していたため、加工に手間がかかると共に部品点数が多くて組立てが煩雑であり、ひいては製作コストの上昇を招いていた。
【０００９】
そこで、本発明の目的は、可動端子の固定端子に対する接触信頼性が良好なスイッチ付き同軸コネクタ及び該コネクタを備えた通信装置を提供することにある。
【００１０】
さらに、本発明の目的は、前記目的に加えて、部品点数及び組立て工数の削減を図り、安価に製作できるスイッチ付き同軸コネクタ及び該コネクタを備えた通信装置を提供することにある。
【００１１】
【課題を解決するための手段及び作用】
以上の目的を達成するため、第１の発明は、中心コンタクト及び外部導体を有するプローブの装着、離脱に基づいて信号経路の切換えを行うスイッチ付き同軸コネクタにおいて、絶縁基板と、前記プローブの外部導体と電気的に接触するプローブ接触面を有し、前記絶縁基板に取り付けられた外部端子と、前記絶縁基板に設けた固定端子と、前記絶縁基板に取り付けられ、前記プローブの離脱時には前記固定端子と接触し、プローブの装着時には中心コンタクトによって変位して固定端子から解離する可動端子と、を備え、前記可動端子は、１枚のばね性金属材からなり、少なくとも、ばね可動部と、前記プローブの装着時に中心コンタクトの先端が接触するプローブ接触部と、前記絶縁基板への取付け部と、絶縁基板の表面への合わせ面部と、てこ支点部と、前記固定端子への接点部とを備え、プローブの非装着時において、可動端子はばね可動部の撓みによって合わせ面部が絶縁基板の表面に密着すると共に接点部が固定端子に圧接し、プローブの装着時において、可動端子は中心コンタクトの進入によってプローブ接触部が変位すると共に、該変位方向とは逆方向にばね可動部がてこ支点部を支点として反転して接点部が固定端子との接触を解除すること、を特徴とする。
【００１２】
第１の発明に係るスイッチ付き同軸コネクタにおいて、ばね性金属材からなる可動端子は、ばね可動部の撓みによって合わせ面が絶縁基板の表面に密着すると共に接点部が固定端子に圧接するため、可動ばね部のストロークの多少にかかわらず必要な接点圧が確保され、接触信頼性が高まる。また、プローブの装着時にその中心コンタクトが進入してプローブ接触部が変位すると共に、ばね可動部がてこ支点部を支点として該変位方向とは逆方向に反転して接点部が固定端子との接触を解除するため、接点部はプローブ接触部のストロークが小さくとも比較的大きくかつ瞬間的に変位することになり、確実に固定端子から解離する。
【００１３】
第１の発明に係るスイッチ付き同軸コネクタにあっては、プローブの非装着時において、可動端子のてこ支点部は絶縁基板の表面から浮いた状態であり、プローブの装着時において、中心コンタクトの進入によるプローブ接触部の変位に基づいててこ支点部が該変位と同方向に変位して絶縁基板の表面に当接し、該当接と共にばね可動部がてこ支点部を支点としてプローブ接触部の変位とは逆方向に反転して接点部が固定端子との接触を解除するように構成してもよい。
【００１４】
プローブの装着時において中心コンタクトがプローブ接触部を押圧し始めてからてこ支点部が絶縁基板の表面に当接するまではばね可動部が反転すること（接点部が解離すること）はなく、この期間はいわば遊びの変位であり、プローブがコネクタに完全に装着されない段階で可動端子の接点部が固定端子から解離してしまうことが防止される。
【００１５】
また、前記可動端子は、ばね可動部が合わせ面部から略Ｕ字形状に湾曲して延在し、該ばね可動部の先端部分においてプローブ接触部が合わせ面部側に延在し、かつ、接点部が合わせ面部と反対側に設けられていることが好ましい。さらに、可動端子の合わせ面部とプローブ接触部とてこ支点部と接点部とが一直線上に位置していることが好ましい。
【００１６】
ばね可動部が略Ｕ字形状に湾曲していれば、ばね可動部が実質的に長くなり、安定したばね特性を発揮し、さらに、合わせ面部とプローブ接触部との距離が小さくなる。また、合わせ面とプローブ接触部とてこ支点部と接点部とが一直線上に位置していれば、可動端子の接点部の固定端子に対する接離動作が安定する。
【００１７】
また、第１の発明に係るスイッチ付き同軸コネクタにおいて、前記固定端子は１枚のばね性金属材からなるものであってもよいが、絶縁基板の表面に形成された膜状の固定端子電極であることが好ましい。固定端子を絶縁基板の表面に膜状電極として形成すれば、部品点数が減少すると共に、組立工数も減少することになり、安価に製作することが可能になる。また、膜状電極は極めて薄く、コネクタの低背化にも寄与する。
【００１８】
この種の固定端子電極は、従来から知られている厚膜形成方法によって絶縁基板上に容易に形成することができる。例えば、導電性ペーストを絶縁基板上に塗布、印刷又は転写したのち焼付けたり、熱硬化又はＵＶ硬化させればよい。さらに、固定端子電極にはめっき処理を施すことが好ましい。回路基板上に実装する際のはんだ付けが良好になる。
【００１９】
また、第２の発明に係る通信装置は前記スイッチ付き同軸コネクタを備えたことを特徴とし、該同軸コネクタの接触信頼性の向上によって信頼性の良好な通信装置とすることができる。
【００２０】
【発明の実施の形態】
以下、本発明に係るスイッチ付き同軸コネクタ及び通信装置の実施形態について、添付図面を参照して説明する。
【００２１】
（スイッチ付き同軸コネクタの構成及び動作、図１〜図７参照）
本発明の一実施形態であるスイッチ付き同軸コネクタ１は、図１、図２に示すように、絶縁基板１０と、外部端子（アース端子）１５と、信号経路切換え用のスイッチング素子として機能する可動端子２０及び固定端子電極２５とから構成されている。
【００２２】
この同軸コネクタ１に特性を測定するために接続されるプローブ３０は、図６に示すように、中心コンタクト３１の周囲に絶縁材３２を介して外部導体３３を設けたものである。
【００２３】
絶縁基板１０は、例えばアルミナ製であり、可動端子２０を取り付けるための穴１１、外部端子１５の取付け位置を決めるための段差部１２が形成されている。また、両側面には凹部１３ａ，１３ｂが形成されている。この凹部１３ａ，１３ｂは、図８を参照して以下に説明するように、マザー基板１０’に形成したスリット１３が分割されたものである。
【００２４】
さらに、絶縁基板１０には、図２、図４、図５に斜線を付して示すように、表面から側面（凹部１３ａ）を介して裏面にわたって固定端子電極２５が膜状に形成されている。膜状の固定端子電極２５は従来知られている厚膜形成方法（塗布、印刷、転写等）によって形成することができる。
【００２５】
例えば、銀や銅を主成分とする導電性ペーストを絶縁基板１０上に塗布、印刷又は転写したのち焼付ければ、５０μｍ以下の厚みの電極２５を得ることができる。あるいは、絶縁基板１０上に印刷、塗布又は転写した導電性ペーストを熱硬化させたり、ＵＶ硬化させることにより電極２５としてもよい。さらに、固定端子電極２５にはめっき処理が施される。めっき処理は下地めっきを含めて複数層に形成することも可能である。なお、固定端子電極２５を形成する工程は後述する。
【００２６】
外部端子１５は、導電性薄板材を絞り加工等によって円筒形状に成形し、穴部１６、脚部１７及び切欠き１８を設けたもので、絶縁基板１０の上面に脚部１７，１７で挟み込むように取り付けられている。また、切欠き１８は可動端子２０及び固定端子電極２５との接触を回避するために形成されている。外部端子１５はグランド端子として機能するもので、その上縁部は、プローブ３０が装着されたとき（図６（Ｂ）参照）、外部導体３３の先端部と電気的に接触するプローブ接触面１９とされている。
【００２７】
可動端子２０は、ばね性を有する導電性薄板からなり、図３に示すように、はんだ付け部２０ａと、絶縁基板１０の表面への合わせ面部２０ｂと、絶縁基板１０へ取り付けるための位置決め部２０ｃ及びかしめ部２０ｄと、ばね可動部２０ｅと、てこ支点部２０ｆと、プローブ３０の装着時に中心コンタクトの先端が接触するプローブ接触部２０ｇと、固定端子電極２５と接離する接点部２０ｈとを備えている。
【００２８】
はんだ付け部２０ａは同軸コネクタ１が図示しない基板上に実装される際に基板上のランドにはんだ付けされる部分であり、合わせ面部２０ｂから９０°下方に曲げられており、絶縁基板１０の側面に露出している。
【００２９】
合わせ面部２０ｂは絶縁基板１０の表面に密着する部分である。位置決め部２０ｃ及びかしめ部２０ｄは合わせ面部２０ｂから下方に曲げられており、位置決め部２０ｃは絶縁基板１０の穴１１の側面に圧接することで可動端子２０の絶縁基板１０上での位置決めを行う。かしめ部２０ｄは絶縁基板１０の裏面側にかしめられることで穴１１の他の側面に圧接すると共に絶縁基板１０の裏面に圧接し、可動端子２０を絶縁基板１０上に固定する。
【００３０】
ばね可動部２０ｅは合わせ面部２０ｂから略Ｕ字形状に湾曲して延在している。このばね可動部２０ｅの先端部分からプローブ接触部２０ｇが合わせ面部２０ｂ側に延在し、プローブ接触部２０ｇは上方に傾斜した状態にて曲げられている。この曲げ部分がてこ支点部２０ｆとされている。また、ばね可動部２０ｅの先端部分は合わせ面部２０ｂと反対側で９０°下方に曲げられ、その先端が固定端子電極２５に対する接点部２０ｈとされている。
【００３１】
可動端子２０が絶縁基板１０に取り付けられた状態は図４、図５に示すとおりであり、合わせ面部２０ｂとプローブ接触部２０ｇとてこ支点部２０ｆと接点部２０ｈとが直線Ａ上に位置している。このとき（プローブ３０の非装着時）、図６（Ａ）に示すように、可動端子２０は接点部２０ｈが固定端子電極２５上に位置し、ばね可動部２０ｅの撓みによって合わせ面部２０ｂが絶縁基板１０の表面に密着すると共に接点部２０ｈが固定端子電極２５に圧接する。また、てこ支点部２０ｆは絶縁基板１０の表面からは浮いた状態に保持されている。
【００３２】
次に、以上の構成からなるスイッチ付き同軸コネクタ１の動作について説明する。プローブ３０の非装着時において、可動端子２０は前述したように図６（Ａ）に示す状態にあり、接点部２０ｈが固定端子電極２５に接触している。この場合、信号経路は可動端子２０から固定端子電極２５へと通じている。
【００３３】
一方、プローブ３０が装着されると、図６（Ｂ）に示すように、中心コンタクト３１が外部端子１５の穴部１６から絶縁基板１０上に進入し、中心コンタクト３１の先端が可動端子２０のプローブ接触部２０ｇを押圧し、該接触部２０ｇが下方に変位すると共にこの変位方向とは逆方向にばね可動部２０ｅがてこ支点部２０ｆを支点として反転し、接点部２０ｈが固定端子電極２５から解離する。即ち、信号経路が固定端子電極２５から中心コンタクト３１に切り換わる。
【００３４】
より詳しくは、中心コンタクト３１の先端からの押圧力によってプローブ接触部２０ｇが下方への変位を開始し（図７（Ａ）参照）、てこ支点部２０ｆも該変位と同方向に変位して絶縁基板１０の表面に当接する（図７（Ｂ）参照）。プローブ接触部２０ｇ及びてこ支点部２０ｆが下方に変位し始めてからてこ支点部２０ｆが絶縁基板１０の表面に当接するまではばね可動部２０ｅが反転することはない。
【００３５】
てこ支点部２０ｆが絶縁基板１０の表面に当接すると共にばね可動部２０ｅがてこ支点部２０ｆを支点としてプローブ接触部２０ｇとは逆方向の上方に反転し、接点部２０ｈが固定端子電極２５との接触を解除する。
【００３６】
以上の構成及び動作を備えたスイッチ付き同軸コネクタ１にあっては、プローブ３０の非装着時において、ばね可動部２０ｅの撓みによって接点部２０ｈが固定端子電極２５に圧接するため、ばね可動部２０ｅのストロークの多少にかかわらず必要な接点圧が確保され、接触信頼性が良好である。また、プローブ３０の装着時には、中心コンタクト３１の先端が接触部２０ｇが変位すると共に、ばね可動部２０ｅがてこ支点部２０ｆを支点として該変位方向とは逆方向に反転して接点部２０ｈが固定端子電極２５との接触を解除するため、接点部２０ｈは接触部２０ｇのストロークが小さくとも比較的大きくかつ瞬間的に変位し、確実に固定端子電極２５から解離する。従って、スイッチ付き同軸コネクタ１のスイッチング素子の接触信頼性は極めて高いものとなる。
【００３７】
また、プローブ３０の非装着時において、てこ支点部２０ｆは絶縁基板１０の表面から浮いた状態に保持され、プローブ３０の装着時において、中心コンタクト３１が接触部２０ｇを押圧し始めてからてこ支点部２０ｆが絶縁基板１０の表面に当接するまではばね可動部２０ｅが反転すること（接点部２０ｈが解離すること）はないので、プローブ３０がコネクタ１に完全に装着されない段階で電気的導通状態が切り換わってしまう不具合が防止される。
【００３８】
さらに、本実施形態にあっては、ばね可動部２０ｅがＵ字形状に湾曲しているため、ばね可動部２０ｅが実質的に長くなり、ばね特性が安定する。さらに、合わせ面部２０ｂと接触部２０ｇとの距離が小さくなる利点も有する。合わせ面部２０ｂと接触部２０ｇとの距離を小さくすると、小型のコネクタであっても接触部２０ｇを中心コンタクト３１に対応するコネクタ１の中央部に配置することができ、使い勝手のよいバランスのとれたコネクタを実現できる。
【００３９】
また、合わせ面部２０ｂと接触部２０ｇとてこ支点部２０ｆと接点部２０ｈとが一直線上に位置しているため、接点部２０ｈの固定端子電極２５に対する接離動作が安定する。さらに、ばね可動部２０ｅには加工精度のばらつきの大きい曲げ加工を施していないため、ばね特性のばらつきや変動を抑えることができる。
【００４０】
（固定端子電極の形成方法、図８参照）
次に、絶縁基板１０上に固定端子電極２５を形成する方法の一例について説明する。
【００４１】
絶縁基板１０は、図８に示すマザー基板１０’から一点鎖線で示す分割線Ｘ、Ｙにて分割されて１単位ずつカットされる。カットはダイサー等による切断、切れ目を入れて折り取る等の種々の方法を採用することができる。
【００４２】
固定端子電極２５はマザー基板１０’の段階で形成される。即ち、マザー基板１０’には前記穴１１に加えて、分割線Ｘ上にスリット１３を形成する。このマザー基板１０’の表面にスクリーンマスクを重ねて導電性ペーストを所定の位置に印刷し、裏面にも同様の手順で導電性ペーストを所定の位置に印刷する。このとき、導電性ペーストの一部はスリット１３に入り込み、その側面にも付着する。その後、焼付け処理することにより固定端子電極２５が形成される。該電極２５上にはめっき処理を施してもよい。なお、マザー基板１０’に導電性ペーストを付与する方法はスクリーン印刷以外に種々の方法を採用することができる
【００４３】
以上の如く、固定端子を膜状の電極２５として絶縁基板１０上に形成すれば、金属端子部品が１点少なくなり、組立工数も減少することになり、製作コストの低減が達成される。また、固定端子電極２５は金属端子と比較して極めて薄く、コネクタ１の低背化にも寄与する。特に、固定端子電極２５をマザー基板１０’の段階で形成するようにすれば、いわゆるバッチ処理にて電極付き絶縁基板１０を量産することができ、生産効率が向上する。
【００４４】
（通信装置の実施形態、図９参照）
次に、本発明のいま一つの実施形態である通信装置について説明する。図９は携帯電話の高周波回路１２０を示し、該高周波回路１２０は、アンテナ素子１２２を備えると共に、デュプレクサ１２３、切換えスイッチ１２５、送信側アイソレータ１３１、送信側増幅器１３２、送信側段間用バンドパスフィルタ１３３、送信側ミキサ１３４、受信側増幅器１３５、受信側段間バンドパスフィルタ１３６、受信側ミキサ１３７、電圧制御発振器（ＶＣＯ）１３８及びローカル用バンドパスフィルタ１３９によって構成されている。
【００４５】
ここに、切換えスイッチ１２５として、前記スイッチ付き同軸コネクタ１を使用することができる。これにより、例えば、セットメーカでの携帯電話の組立て工程において、高周波回路１２０の電気特性をチェックする場合、測定器に接続されたプローブ３０を前述の如くスイッチ付き同軸コネクタ１に装着すれば、高周波回路１２０からアンテナ素子１２２への信号経路を測定器側に切り換えることができる。
【００４６】
（他の実施形態）
なお、本発明に係るスイッチ付き同軸コネクタ及び通信装置は、前記実施形態に限定するものではなく、その要旨の範囲内で種々に変更することができる。
【００４７】
例えば、スイッチ付き同軸コネクタの構成部品である絶縁基板、外部端子、可動端子及び固定端子の細部の構造は任意である。特に、絶縁基板はケース状であってもよい。また、スイッチ付き同軸コネクタは携帯電話以外にも種々の通信装置に組み込むことができる。
【００４８】
また、固定端子は前記実施形態においては膜状の電極２５として示したが、可動端子２０と同様に金属端子であってもよい。但し、膜状の電極とすることにより、前述の種々の利点を奏する。
【００４９】
【発明の効果】
以上の説明から明らかなように、本発明に係るスイッチ付き同軸コネクタによれば、可動端子の接点部の変位方向をプローブの中心コンタクトの当接によるプローブ接触部の変位方向とは逆方向となるようにしたため、良好な接点圧を保持でき、かつ、解離動作が確実であって、可動端子の固定端子に対する接触信頼性が向上する。
【００５０】
また、本発明に係る通信装置は前述の効果を有するスイッチ付き同軸コネクタを備えることにより、信頼性の向上した通信装置を得ることができる。
【図面の簡単な説明】
【図１】本発明の一実施形態であるスイッチ付き同軸コネクタを示す斜視図である。
【図２】前記スイッチ付き同軸コネクタを示す分解斜視図である。
【図３】前記スイッチ付き同軸コネクタの可動端子を示し、（Ａ）は平面図、（Ｂ）は正面図である。
【図４】前記可動端子を絶縁基板に取り付けた状態を示す斜視図である。
【図５】前記可動端子を絶縁基板に取り付けた状態を示す平面図である。
【図６】前記スイッチ付き同軸コネクタとプローブとの関係を示し、（Ａ）は未装着時を示す断面図、（Ｂ）は装着時を示す断面図である。
【図７】前記可動端子の動作説明図である。
【図８】固定端子電極を形成した状態でのマザー基板を示す斜視図である。
【図９】本発明の他の実施形態である通信装置（携帯電話）の高周波回路を示すブロック図である。
【図１０】従来のスイッチ付き同軸コネクタとプローブを示す未装着時の断面図である。
【符号の説明】
１…スイッチ付き同軸コネクタ
１０…絶縁基板
１５…外部端子
１９…プローブ接触面
２０…可動端子
２０ｂ…合わせ面部
２０ｃ…位置決め部
２０ｄ…かしめ部
２０ｅ…ばね可動部
２０ｆ…てこ支点部
２０ｇ…プローブ接触部
２０ｈ…接点部
２５…固定端子電極
３０…プローブ
３１…中心コンタクト
３３…外部導体
１２０…高周波回路
１２５…切換えスイッチ（スイッチ付き同軸コネクタ）
【図１】
2004247265.tif 000003
【図２】
2004247265.tif 000004
【図３】
2004247265.tif 000005
【図４】
2004247265.tif 000006
【図５】
2004247265.tif 000007
【図６】
2004247265.tif 000008
【図７】
2004247265.tif 000009
【図８】
2004247265.tif 000010
【図９】
2004247265.tif 000011
【図１０】
2004247265.tif 000012